(57)【要約】【課題】放射線撮影の実行者を適格者に制限しつつ、放射線撮影を効率的に実行することを目的とする。【解決手段】１又は２以上の放射線撮影システムと、放射線撮影システムを管理する管理装置とを備える撮影管理システムであって、操作者の識別情報を受け付ける受付手段と、放射線照射の実行予定者の識別情報を含む撮影オーダを記憶する撮影オーダ記憶手段に、操作者を実行予定者とする撮影オーダが記憶されているか否かに基づいて、放射線照射の実行の許否を判断する管理手段とを有する。【選択図】図１
2015150060.tif 000002
【特許請求の範囲】
【請求項１】
放射線撮影システムを管理する撮影管理システムであって、
操作者の識別情報を受け付ける受付手段と、
放射線照射の実行予定者の識別情報を含む撮影オーダを記憶する記憶手段と、
前記操作者を実行予定者とする撮影オーダが記憶されているか否かに基づいて、放射線照射の実行を管理する管理手段とを有する撮影管理システム。
【請求項２】
前記管理手段は、前記撮影オーダ記憶手段に前記操作者を実行予定者とする撮影オーダが記憶されている場合に、前記操作者に対し、前記撮影オーダに対応する放射線照射の実行を許可する請求項１に記載の撮影管理システム。
【請求項３】
前記管理手段は、前記撮影オーダ記憶手段に前記操作者を実行予定者とする撮影オーダが記憶されていない場合に、前記操作者に対し、放射線照射の実行を禁止する請求項２に記載の撮影管理システム。
【請求項４】
登録操作者の識別情報を記憶する操作者記憶手段をさらに有し、
前記管理手段は、前記記憶手段に前記操作者を実行予定者とする撮影オーダが記憶されておらず、かつ前記操作者記憶手段に前記操作者が登録操作者として記憶されている場合に、前記操作者に対し、放射線照射の実行を禁止し、かつ放射線照射と異なる第１の機能の実行を許可する請求項１乃至３何れか１項に記載の撮影管理システム。
【請求項５】
前記記憶手段に前記操作者を実行予定者とする撮影オーダが記憶されており、かつ前記操作者記憶手段に前記操作者が登録操作者として記憶されていない場合に、前記操作者の前記識別情報を前記操作者記憶手段に登録する第１の登録手段をさらに有する請求項４に記載の撮影管理システム。
【請求項６】
前記管理手段は、前記記憶手段に前記操作者を実行予定者とする撮影オーダが記憶されておらず、かつ前記操作者記憶手段に前記操作者が登録操作者として記憶されていない場合に、前記操作者に対し、前記第１の機能のうち一部の機能以外の機能の実行を禁止する請求項４又は５に記載の撮影管理システム。
【請求項７】
前記操作者記憶手段は、前記登録操作者の識別情報に対応付けて、前記登録操作者の操作レベルをさらに記憶し、
前記管理手段は、前記記憶手段に前記操作者を実行予定者とする撮影オーダが記憶されており、かつ前記操作者記憶手段に前記操作者が閾値以上の操作レベルの登録操作者として記憶されている場合に、前記操作者に対し、前記撮影オーダに対応する放射線照射の実行を許可する請求項４乃至６何れか１項に記載の撮影管理システム。
【請求項８】
前記管理手段は、前記記憶手段に前記操作者を実行予定者とする撮影オーダが記憶されておらず、かつ前記操作者記憶手段に前記操作者が閾値以上の操作レベルの登録操作者として記憶されている場合に、前記操作者に対し、放射線照射の実行を禁止し、かつ前記第１の機能の実行を許可する請求項７に記載の撮影管理システム。
【請求項９】
前記管理手段は、前記操作者記憶手段に前記操作者が閾値未満の操作レベルの登録操作者として記憶されている場合に、前記操作者に対し、前記第１の機能のうち一部の機能以外の機能の実行を禁止する請求項８に記載の撮影管理システム。
【請求項１０】
前記記憶手段に前記操作者を実行予定者とする撮影オーダが記憶されており、かつ前記操作者記憶手段に前記操作者が閾値未満の操作レベルの登録操作者として記憶されている場合に、前記操作者を実行予定者とする撮影オーダの実行予定者を、前記操作者以外の前記登録操作者に変更する第１の変更手段をさらに有する請求項９に記載の撮影管理システム。
【請求項１１】
前記受付手段は、前記実行予定者の変更指示をさらに受け付け、
前記変更指示に従い、前記撮影オーダの前記実行予定者を変更する第２の変更手段をさらに有する請求項１乃至１０何れか１項に記載の撮影管理システム。
【請求項１２】
前記撮影オーダは、放射線照射を実行する放射線撮影システムを識別する識別情報をさらに含み、
前記受付手段は、放射線照射を実行する前記放射線撮影システムの変更指示をさらに受け付け、
前記放射線撮影システムの前記変更指示に従い、前記撮影オーダを実行する前記放射線撮影システムの識別情報を変更する第３の変更手段をさらに有する請求項１乃至１１何れか１項に記載の撮影管理システム。
【請求項１３】
操作者と前記放射線撮影システムとの間の距離を算出する距離算出手段と、
前記距離に基づいて、前記放射線撮影システムを用いた撮影の実行予定者を決定する決定手段と、
前記決定手段により決定された前記実行予定者を含む前記撮影オーダを、前記記憶手段に登録する第２の登録手段と
をさらに有する請求項１乃至１２何れか１項に記載の撮影管理システム。
【請求項１４】
操作者の識別情報を受け付ける受付手段と、
放射線照射の実行予定者の識別情報を含む撮影オーダを記憶する撮影オーダ記憶手段に、前記操作者を実行予定者とする撮影オーダが記憶されているか否かに基づいて、放射線照射の実行を管理する管理手段と
を有する情報処理装置。
【請求項１５】
放射線撮影システムを管理する撮影管理システムが実行する制御方法であって、
操作者の識別情報を受け付ける受付ステップと、
放射線照射の実行予定者の識別情報を含む撮影オーダを記憶する記憶手段に、前記操作者を実行予定者とする撮影オーダが記憶されているか否かに基づいて、放射線照射の実行を管理する管理ステップと
を含む制御方法。
【請求項１６】
情報処理装置が実行する制御方法であって、
操作者の識別情報を受け付ける受付ステップと、
放射線照射の実行予定者の識別情報を含む撮影オーダを記憶する記憶手段に、前記操作者を実行予定者とする撮影オーダが記憶されているか否かに基づいて、放射線照射の実行を管理する管理ステップと
を含む制御方法。
【請求項１７】
コンピュータを、
操作者の識別情報を受け付ける受付手段と、
放射線照射の実行予定者の識別情報を含む撮影オーダを記憶する記憶手段に、前記操作者を実行予定者とする撮影オーダが記憶されているか否かに基づいて、放射線照射の実行の許否を判断する管理手段と
して機能させるためのプログラム。
【発明の詳細な説明】
【技術分野】
【０００１】
本発明は、撮影管理システム、制御方法及びプログラムに関する。
【背景技術】
【０００２】
医用情報のデジタル化が浸透する中、診察の際に医師により利用される端末や放射線撮影を行う撮影モダリティと、患者の診察記録等の情報を管理する情報管理装置とがネットワークを介して接続された医用情報システムが一般化している。医用情報システムの情報管理装置は、撮影モダリティが実行する放射線撮影の予定を示す撮影オーダを保管し、撮影モダリティで放射線撮影が実行される際には撮影オーダを配信する。
ところで、放射線撮影を実行する操作者は、放射線を照射するのに必要な資格や能力を有する適格者である必要がある。操作者を管理する技術として、特許文献１には、所定の操作者認証情報が入力された場合のみ、台車駆動及び撮影が可能となる装置が開示されている。これにより、操作非適格者による無断での移動及び撮影を防止することができる。
【先行技術文献】
【特許文献】
【０００３】
【特許文献１】特開２０１０−０８２３１７号公報
【発明の概要】
【発明が解決しようとする課題】
【０００４】
しかしながら、操作者の属性のみで放射線照射が許可されたとしても、診断に関係のない、いわば不要な放射線照射が行われる可能性がある。一方、操作者が必要以上に制限された場合には、放射線撮影の実行が滞る虞がある。
【０００５】
本発明はこのような問題点に鑑みなされたもので、放射線撮影の実行者を適格者に制限しつつ、放射線撮影を効率的に実行することを目的とする。
【課題を解決するための手段】
【０００６】
そこで、本発明は、１又は２以上の放射線撮影システムと、前記放射線撮影システムを管理する管理装置とを備える撮影管理システムであって、操作者の識別情報を受け付ける受付手段と、放射線照射の実行予定者の識別情報を含む撮影オーダを記憶する撮影オーダ記憶手段に、前記操作者を実行予定者とする撮影オーダが記憶されているか否かに基づいて、放射線照射の実行の許否を判断する管理手段とを有する。
【発明の効果】
【０００７】
本発明によれば、放射線撮影の実行者を適格者に制限しつつ、放射線撮影を効率的に実行することができる。
【図面の簡単な説明】
【０００８】
【図１】撮影管理システムを示す図である。
【図２】情報処理装置を示す図である。
【図３】撮影オーダリストを示す図である。
【図４】撮影制御処理を示すフローチャートである。
【図５】表示画面の一例を示す図である。
【図６】第２の実施形態にかかる撮影制御処理を示すフローチャートである。
【図７】表示画面の一例を示す図である。
【図８】第３の実施形態にかかる撮影制御処理を示すフローチャートである。
【図９】表示画面の一例を示す図である。
【図１０】第４の実施形態にかかる撮影オーダリストを示す図である。
【図１１】表示画面の一例を示す図である。
【図１２】表示画面の一例を示す図である。
【発明を実施するための形態】
【０００９】
以下、本発明の実施形態について図面に基づいて説明する。
【００１０】
（第１の実施形態）
図１は、放射線撮影を管理する撮影管理システムを示す図である。撮影管理システムは、撮影モダリティ１０Ａ〜１０Ｃと、撮影オーダ管理装置１１と、携帯端末１２Ａ〜１２Ｃとを備えている。撮影モダリティ１０Ａ〜１０Ｃ、撮影オーダ管理装置１１及び携帯端末１２は、ネットワーク１３を介して通信可能である。
撮影オーダ管理装置１１は、撮影管理システムが備える撮影モダリティ１０Ａ〜１０Ｃの撮影オーダを管理する。ここで、撮影オーダとは、各撮影モダリティ１０Ａ〜１０Ｃにおける放射線照射の実行予定を示す情報である。撮影オーダ管理装置１１は、撮影オーダを撮影モダリティ１０Ａ〜１０Ｃに送信する。また、撮影オーダ管理装置１１は、撮影モダリティ１０Ａ〜１０Ｃにおいて、放射線撮影の実行が完了すると、実行完了に対応し、撮影オーダを更新する。
【００１１】
撮影モダリティ１０Ａ〜１０Ｃは、いずれも放射線撮影を行う放射線撮影システムの一例である。撮影モダリティ１０Ａは、情報処理装置１０１と、表示部１０２と、放射線発生装置１０３と、放射線画像検出器１０４とを有している。情報処理装置１０１は、放射線撮影の制御など、撮影モダリティ１０Ａ全体を制御する。情報処理装置１０１は、例えば撮影オーダ管理装置１１から撮影オーダを受信し、これを記憶する。そして、情報処理装置１０１は、撮影オーダに従い、放射線発生装置１０３及び放射線画像検出器１０４を制御する。
表示部１０２は、各種情報を表示する。表示部１０２は、例えば撮影に関する情報を表示する。放射線発生装置１０３は、放射線を照射する。放射線画像検出器１０４は、検出した放射線の強度から画像を生成する。放射線画像検出器１０４において生成された画像は、表示部１０２に表示される。
撮影モダリティ１０Ｂ，１０Ｃの構成は、撮影モダリティ１０Ａの構成とほぼ同様である。なお、図示していないが、撮影モダリティ１０Ｃも、放射線画像検出器１０４を有している。なお、撮影管理システムは、１又２以上の撮影モダリティを備えればよく、撮影モダリティの数及び種類は、実施形態に限定されるものではない。以下、撮影モダリティ１０Ａ〜１０Ｃの区別の必要がない場合には、各撮影モダリティ１０Ａ〜１０Ｃを単に撮影モダリティ１０と称する。
【００１２】
携帯端末１２Ａ〜１２Ｃは、操作者に携帯される装置であり、それぞれに対応付けられている操作者Ａ００１〜Ａ００３を識別する識別情報を記憶する近接通信部を有している。携帯端末１２Ａ〜１２Ｃは、撮影モダリティ１０に近接すると、近接通信により、端末内に記憶されている、操作者の識別情報を撮影モダリティ１０に送信する。
なお、撮影管理システムは、複数の携帯端末を備えればよく、携帯端末の数は、実施形態に限定されるものではない。以下、携帯端末１２Ａ〜１２Ｃの区別の必要がない場合には、各携帯端末１２Ａ〜１２Ｃを、単に携帯端末１２と称することとする。
【００１３】
図２は、撮影モダリティ１０の情報処理装置１０１を示す図である。情報処理装置１０１は、ＣＰＵ２０１と、ＲＯＭ２０２と、ＲＡＭ２０３と、ＨＤＤ２０４と、ネットワークＩ／Ｆ２０５と、機器Ｉ／Ｆ２０６とを備えている。ＣＰＵ２０１は、情報処理装置１０１の全体を総括的に制御する。ＲＯＭ２０２は、制御プログラム等を記憶する。ＲＡＭ２０３は、ＣＰＵ２０１の主メモリ、ワークエリア等の一時記憶領域として用いられる。ＨＤＤ２０４は、画像データや各種プログラム等を記憶する。
ネットワークＩ／Ｆ２０５は、ネットワーク１３に接続し、他の装置と通信する。機器Ｉ／Ｆ２０６は、外部機器と接続する。本実施形態においては、機器Ｉ／Ｆ２０６は、表示部１０２と接続する。機器Ｉ／Ｆ２０６はさらに、不図示のマウスやキーボードなどの操作部と接続してもよい。撮影オーダ管理装置１１及び携帯端末１２のハードウェア構成は、図２を参照しつつ説明した情報処理装置１０１のハードウェア構成と同様である。
後述する情報処理装置１０１の機能や処理は、情報処理装置１０１が備えるＣＰＵ２０１がＲＯＭ２０２又はＨＤＤ２０４に格納されているプログラムを読み出し、このプログラムを実行することにより実現される。同様に、後述する撮影オーダ管理装置１１及び携帯端末１２の機能や処理は、それぞれ撮影オーダ管理装置１１及び携帯端末１２が備えるＣＰＵ２０１がＲＯＭ２０２等に格納されているプログラムを読み出し、実行することにより実現される。
【００１４】
図３は、撮影オーダ管理装置１１が管理する撮影オーダリスト３００を示す図である。撮影オーダリスト３００は、例えば撮影オーダ管理装置１１のＲＡＭ２０３等に記憶されている。撮影オーダリスト３００は、実行決定情報、被検者情報及び実行予定者情報を対応付けて記憶している。撮影オーダリスト３００の各行が１つの撮影オーダに対応する。実行決定情報は、撮影オーダのステータスを示す情報である。ステータスには、「実行待ち」と「実行決定」の２つがある。詳細については後述するが、撮影オーダ管理装置１１は、実行決定情報に基づいて、複数の撮影モダリティ１０間で撮影オーダの進捗状況を共有することができる。
被検者情報は、被検者の識別情報（ＩＤ）、氏名、年齢、性別、撮影部位及び備考を含む。実行予定者情報は、放射線撮影の実行予定者に関する情報である。実行予定者情報は、具体的には、実行予定者の識別情報であるＩＤ及び氏名を含む。図３に示すように、撮影オーダリスト３００には、実行予定者の異なる撮影オーダが含まれている。
【００１５】
各撮影モダリティ１０Ａ〜１０Ｃは、起動後撮影オーダ管理装置１１との通信が確立されたタイミングにおいて、撮影オーダ管理装置１１に、撮影オーダ要求を送信する。撮影オーダ管理装置１１は、撮影オーダ要求を受信すると、撮影オーダリストを、各撮影モダリティ１０Ａ〜１０Ｃに送信する。これにより、撮影オーダ管理装置１１及び各撮影モダリティ１０Ａ〜１０Ｃは、同一の撮影オーダリストを共有することができる。ここで、撮影オーダリスト３００は、放射線の実行予定者の識別情報を含む撮影オーダを記憶する記憶手段の一例である。
【００１６】
図４は、撮影モダリティ１０の情報処理装置１０１による、撮影制御処理を示すフローチャートである。撮影モダリティ１０は、この撮影制御処理により、操作者による撮影モダリティ１０の各種操作の許否を判断し、適宜、操作者による操作を制限する。Ｓ４００において、撮影モダリティ１０の情報処理装置１０１のＣＰＵ２０１は、近距離通信により、操作者の携帯端末１２から操作者のＩＤを受信する。なお、他の例としては、Ｓ４００において、情報処理装置１０１のＣＰＵ２０１は、操作者によるＩＤ入力を受け付けてもよい。ここで、Ｓ４００の処理は、操作者の識別情報を受け付ける受付処理の一例である。
次に、Ｓ４０１において、ＣＰＵ２０１は、撮影オーダリストを参照し、操作者を実行予定者とする撮影オーダの有無を確認する。具体的には、ＣＰＵ２０１は、実行決定情報が「実行待ち」を示し、実行予定者のＩＤが、入力されたＩＤと一致する撮影オーダを検索する。ＣＰＵ２０１は、操作者を実行予定者とする撮影オーダが存在する場合には（Ｓ４０１でＹｅｓ）、処理をＳ４０２へ進める。ＣＰＵ２０１は、操作者を実行予定者とする撮影オーダが存在しない場合には（Ｓ４０１でＮｏ）、処理をＳ４０３へ進める。
【００１７】
Ｓ４０２において、ＣＰＵ２０１は、操作者に対し、撮影オーダに示される放射線照射の実行を許可する。なお、ＣＰＵ２０１は、操作者に対し、撮影オーダに示される放射線照射以外の放射線照射の実行は禁止する。さらに、ＣＰＵ２０１は、操作者に対し、撮影制御システムの放射線照射以外のすべての機能の実行を許可する。ここで、すべての機能とは、撮影制御システムが操作者の操作に応じて実行可能なように予め設定された、すべての機能である。このように、Ｓ４０２において、撮影オーダの実行が許可された場合には、撮影モダリティ１０は、撮影オーダにしたがって、放射線撮影を実行することができる。
図５（ａ）は、Ｓ４０２において、表示部１０２に表示される表示画面の一例を示す図である。このように、表示部１０２には、操作者を実行予定者とする撮影オーダが一覧表示される。図５（ａ）の表示画面において、操作者により、撮影オーダを実行しますか？の表示に対し「はい」ボタンが選択されると、撮影モダリティ１０のＣＰＵ２０１は、実行指示を受け付ける。そして、撮影モダリティ１０のＣＰＵ２０１は、実行指示にかかる撮影オーダに従い、撮影を開始させる。撮影モダリティ１０のＣＰＵ２０１はさらに、自装置の撮影オーダリストにおいて、実行指示にかかる撮影オーダの実行決定情報を「実行待ち」から「実行決定」に変更し、撮影オーダ管理装置１１に実行通知を送信する。
【００１８】
撮影オーダ管理装置１１は、実行通知を受信すると、受信した実行通知にかかる撮影オーダの実行決定情報を「実行待ち」から「実行決定」に変更する。撮影オーダ管理装置１１は、実行通知の送信元以外の撮影モダリティ１０に対し、実行通知を送信する。実行通知を受信した撮影モダリティ１０は、受信した実行通知にかかる撮影オーダの実行決定情報を「実行待ち」から「実行決定」に変更する。
さらに、撮影モダリティ１０のＣＰＵ２０１は、実行指示を受け付けた後に、取消指示を受け付けた場合には取消指示にかかる撮影オーダの実行決定情報を「実行決定」から「実行待ち」に変更する。これに伴い、撮影オーダ管理装置１１及び他の撮影モダリティ１０も、対応する撮影オーダの実行決定情報を「実行決定」から「実行待ち」に変更する。
【００１９】
また、図５（ａ）に示す表示画面において、「いいえ」ボタンが選択された場合には、撮影モダリティ１０のＣＰＵ２０１は、撮影オーダの実行保留又は辞退を選択する表示画面（不図示）を表示する。「辞退」が選択された場合、撮影モダリティ１０のＣＰＵ２０１は、撮影オーダ管理装置１１に対し辞退通知を送信する。撮影オーダ管理装置１１は、辞退通知を受信した場合には、辞退通知にかかる撮影オーダの実行予定者を変更する。そして、撮影オーダ管理装置１１は、変更後の撮影オーダを各撮影モダリティ１０に送信する。
撮影オーダ管理装置１１は、上記撮影オーダの実行、実行予定者の変更の他、追加、削除などの変更が生じる度に、変更点を各撮影モダリティ１０に送信する。これにより、撮影オーダ管理装置１１及び各撮影モダリティ１０は、自装置に記憶されている撮影オーダリストを常に最新の状態に保つことができる。
【００２０】
なお、Ｓ４０１において、実行決定情報が「実行待ち」の撮影オーダのみが検索されることに対応し、表示画面には、実行決定情報が「実行待ち」の撮影オーダのみが表示され、「実行決定」の撮影オーダは表示されない。そして、操作者は、「実行決定」の撮影オーダを選択、実行することができない。これにより、ある撮影モダリティ１０における撮影実行が決定された撮影オーダが他の撮影モダリティ１０に横取りされるといったトラブルを回避することができる。
【００２１】
図４に戻り、Ｓ４０３において、ＣＰＵ２０１は、操作者に対し、放射線照射の実行を禁止する。具体的には、ＣＰＵ２０１は、放射線発生装置１０３及び関連する機能を無効化する。さらに、ＣＰＵ２０１は、表示部１０２に、操作者が実行予定の撮影オーダが登録されていない旨を表示する。これにより、ユーザは、放射線撮影を行えないことを認識することができる。
図５（ｂ）は、Ｓ４０３において、表示部１０２に表示される表示画面の一例を示す図である。図５（ｂ）に示す表示画面には、操作者が実行予定の撮影オーダがない旨が表示され、さらに放射線照射が制限される旨が表示されている。ここで、Ｓ４０１〜Ｓ４０３の処理は、操作者を実行予定者とする撮影オーダが記憶されているか否かに基づいて、放射線照射の実行を管理する管理処理の一例である。
【００２２】
以上のように、本実施形態にかかる撮影管理システムは、操作者の識別情報を受け付ける受付手段（携帯端末１２Ａ〜１２Ｃ）を有する。撮影管理システムはまた、放射線照射の実行予定者の識別情報を含む撮影オーダを記憶する記憶手段（撮影オーダ管理装置１１（撮影オーダ記憶部））を有する。撮影管理システムはまた、操作者を実行予定者とする撮影オーダが記憶されているか否かに基づいて、放射線照射の実行を管理する管理手段（情報処理装置１０１（ＣＰＵ２０１））を有する。よって、本実施形態にかかる撮影管理システムは、撮影オーダの実行予定者以外の操作者による放射線照射の実行を制限することができる。また、実行予定者が辞退した場合には、実行予定者を変更することができる。これにより、放射線撮影の実行者を適格者に制限しつつ、放射線撮影を効率的に実行することができる。
【００２３】
第１の実施形態の撮影管理システムの第１の変更例について説明する。本実施形態の撮影管理システムは、撮影オーダの実行指示を受け付けた場合、実行決定情報を変更するだけであったが、これに替えて、実行指示にかかる撮影オーダを撮影オーダリストから削除してもよい。
【００２４】
第２の変更例としては、撮影管理システムは、実行指示を受け付けたか否かにより、実行状態を管理するのに替えて、放射線照射の実行が完了したか否かにより実行状態を管理してもよい。この場合、実行決定情報には、「実行待ち」又は「実行済み」が格納され、ＣＰＵ２０１は、実行完了時に実行決定情報を「実行待ち」から「実行済み」に変更する。また、Ｓ４０１においては、ＣＰＵ２０１は、「実行済み」の撮影オーダを検索する。
【００２５】
（第２の実施形態）
次に、第２の実施形態にかかる撮影管理システムについて説明する。第２の実施形態においては、撮影モダリティ１０は、撮影オーダに加え、操作者が登録操作者か否かに基づいて、操作者による各種機能の実行の許否を判断する。第２の実施形態にかかる撮影オーダ管理装置１１は、撮影オーダリストに加えて、登録操作者リストを管理している。登録操作者リストは、例えば、撮影オーダ管理装置１１のＲＡＭ２０３等に格納されている。登録操作者リストは、操作者記憶部の一例である。登録操作者リストには、放射線照射が許可され、予め登録された登録操作者が記憶されている。具体的には、登録操作者リストには、登録操作者のＩＤと氏名とが対応付けて記憶されている。
そして、撮影オーダ管理装置１１は、撮影モダリティ１０から撮影オーダ要求を受信した場合に、撮影オーダリストと共に、登録操作者リストを撮影モダリティ１０に送信する。各撮影モダリティ１０は、撮影オーダリスト及び登録操作者リストを受信すると、受信した撮影オーダリスト及び登録操作者リストを情報処理装置１０１のＲＡＭ２０３等に記憶する。
【００２６】
図６は、第２の実施形態にかかる撮影モダリティ１０の情報処理装置１０１による、撮影制御処理を示すフローチャートである。図６において、第１の実施形態にかかる撮影制御処理（図４）と同一の処理には、同一の番号を付している。Ｓ４００において、撮影モダリティ１０の情報処理装置１０１のＣＰＵ２０１は、操作者によるＩＤ入力を受け付ける。次に、Ｓ６００において、ＣＰＵ２０１は、登録操作者リストを参照し、操作者が登録操作者か否かを確認する。ＣＰＵ２０１は、操作者が登録操作者である場合には（Ｓ６００でＹｅｓ）、処理をＳ４０１へ進める。ＣＰＵ２０１は、操作者が登録操作者でない場合には（Ｓ６００でＮｏ）、処理をＳ６０２へ進める。
Ｓ４０１において、ＣＰＵ２０１は、撮影オーダリストを参照し、操作者を実行予定者とする撮影オーダの有無を確認する。ＣＰＵ２０１は、操作者を実行予定者とする撮影オーダが存在する場合には（Ｓ４０１でＹｅｓ）、処理をＳ４０２へ進める。ＣＰＵ２０１は、操作者を実行予定者とする撮影オーダが存在しない場合には（Ｓ４０１でＮｏ）、処理をＳ６０１へ進める。
【００２７】
Ｓ４０２において、ＣＰＵ２０１は、操作者に対し、撮影オーダに示される放射線照射を含む、撮影制御システムのすべての機能の実行を許可する。図７は、Ｓ４０２において、表示部１０２に表示される表示画面を示す図である。操作者が、実行を希望する撮影オーダを選択した上で、「実行」ボタンを選択すると、撮影モダリティ１０の情報処理装置１０１のＣＰＵ２０１は、選択された撮影オーダの実行指示を受け付ける。
また、図７に示す表示画面において、操作者が実行予定者の変更を希望する撮影オーダを選択した上で「他操作者に振替」ボタンを選択したとする。この場合、撮影モダリティ１０のＣＰＵ２０１は、選択された撮影オーダの実行予定者の変更指示を受け付け（受付処理）、変更指示に従い、実行予定者を変更する（変更処理）。撮影モダリティ１０のＣＰＵ２０１はさらに、変更指示を撮影オーダ管理装置１１に送信する。撮影オーダ管理装置１１は、変更指示に従い自装置の撮影オーダリストを更新し、更新にかかる撮影オーダを送信済みの撮影モダリティ１０に対し、変更指示を送信する。このように、本実施形態にかかる撮影管理システムにおいては、登録操作者は、撮影オーダの実行予定者を変更することができる。したがって、本来指定されていた実行予定者の多忙等の理由により撮影が遅滞するのを回避することができる。
【００２８】
さらに、図７に示す表示画面において、操作者が、表示されている撮影オーダをドラッグ＆ドロップにより並べ替えた場合には、ＣＰＵ２０１は、並べ替え結果に応じた実行順番の変更指示を受け付け、変更指示に従い、撮影オーダの実行順番を変更する。
このように、Ｓ４０１においては、操作者は、撮影オーダに対応する放射線照射と、撮影制御システムの備える、放射線照射以外の機能を実行することが可能となる。操作者が実行可能な機能としては、これ以外に操作者が操作する撮影オーダや、撮影オーダテーブルに登録されているすべての撮影オーダの一覧を表示させる機能や、これらをソートする機能等が挙げられる。
【００２９】
なお、変更指示は、実行予定者又は実行順番の変更を指示する情報であるものとするが、他の例としては、変更指示は、変更後の撮影オーダであってもよい。この場合、変更指示を受信した撮影オーダ管理装置１１及び撮影モダリティ１０は、既に記憶している撮影オーダに、変更指示として受信した撮影オーダを上書きして保存する。
【００３０】
図６に戻り、Ｓ６０１において、撮影モダリティ１０の情報処理装置１０１のＣＰＵ２０１は、操作者に対し、放射線照射の実行を禁止しつつ、第１の機能の実行を許可する。ここで、第１の機能とは、撮影制御システムにおいて操作可能な機能のうち、放射線照射以外の機能である。なお、第１の機能は、放射線照射以外の機能であればよく、その種類や数は、特に制限されるものではなく、設計者等が任意に設定可能である。本実施形態にかかる第１の機能は、撮影管理システムにおいて操作者の操作により実行可能なように予め設定された機能のうち、放射線照射を除くすべての機能である。すなわち、本実施形態においては、Ｓ４０２及びＳ６０１において、操作者に対して許容される機能は、放射線照射以外の機能に関しては同一である。第１の機能は、例えば、撮影オーダの実行予定者等の変更、撮影オーダの表示、ソート等を含む。
Ｓ６０２において、ＣＰＵ２０１は、撮影オーダリストを参照し、操作者を実行予定者とする撮影オーダの有無を確認する。なお、Ｓ６０２の処理は、Ｓ４０１の処理と同様である。ＣＰＵ２０１は、操作者を実行予定者とする撮影オーダが存在する場合には（Ｓ６０２でＹｅｓ）、処理をＳ６０３へ進める。ＣＰＵ２０１は、操作者を実行予定者とする撮影オーダが存在しない場合には（Ｓ６０２でＮｏ）、処理をＳ６０５へ進める。
【００３１】
Ｓ６０３において、ＣＰＵ２０１は、操作者を登録操作者として登録操作者リストに登録する（登録処理）。具体的には、ＣＰＵ２０１は、操作者の識別情報を登録操作者リストに追加する。次に、Ｓ６０４において、ＣＰＵ２０１は、操作者に対し、撮影オーダに示される放射線照射の実行を許可する。ＣＰＵ２０１はまた、操作者に対し、撮影制御システムの放射線照射以外のすべての機能の実行を許可する。これにより、登録操作者リストの更新タイミングが遅れていることにより、操作者が撮影適格者であるにもかかわらず、撮影が制限されるといった事態を回避することができる。
Ｓ６０５において、ＣＰＵ２０１は、操作者に対し、第１の機能の一部の機能以外のすべての機能の実行を禁止する。すなわち、ＣＰＵ２０１は、放射線照射も禁止する。ここで、一部の機能とは、例えば、移動型撮影モダリティ１０Ｃであれば、本体の移動等の機能である。なお、一部の機能は、予め設定されているものとする。これにより、例えば、移動型撮影モダリティ１０Ｃが廊下に放置され、他の移動体の移動を妨害している場合には、放射線撮影の適格者以外の者であっても、移動型撮影モダリティ１０Ｃを移動することができる。
なお、一部の機能の種類及び数は、実施形態に限定されるものではなく、設計者等が任意に設定可能である。なお、第２の実施形態にかかる撮影管理システムのこれ以外の構成及び処理は、第１の実施形態にかかる撮影管理システムの構成及び処理と同様である。
【００３２】
以上のように、第２の実施形態にかかる撮影管理システムは、登録操作者に対しては、撮影オーダの変更等の機能の実行を許可するので、放射線撮影の実行者を適格者に制限しつつ、柔軟に撮影を進めることができる。また、第２の実施形態にかかる撮影管理システムにおいては、撮影オーダに基づいて、登録操作者リストを自動的に更新することができる。
【００３３】
（第３の実施形態）
次に、第３の実施形態にかかる撮影管理システムについて説明する。第３の実施形態においては、撮影モダリティ１０は、操作者が登録者か否かに加え、操作者の操作レベルに基づいて、操作者による各種機能の実行の許否を判断する。第３の実施形態にかかる撮影オーダ管理装置１１は、第２の実施形態にかかる撮影オーダ管理装置１１と同様に、登録操作者リストを管理している。ただし、本実施形態にかかる登録操作者リストは、登録操作者のＩＤと氏名に加え、登録操作者の操作レベルをさらに記憶している。
ここで、操作レベルとは、登録操作者の操作等に関する権限や能力に応じて定まる値である。操作レベルは、例えば放射線の照射が法的又は客観的に認められているか否か等により決定されるものである。
【００３４】
図８は、第３の実施形態にかかる撮影モダリティ１０Ａの情報処理装置１０１による、撮影制御処理を示すフローチャートである。図８において、第１の実施形態にかかる撮影制御処理（図４）又は第２の実施形態にかかる撮影制御処理（図６）と同一の処理には、同一の番号を付している。Ｓ４００において、撮影モダリティ１０の情報処理装置１０１のＣＰＵ２０１は、操作者によるＩＤ入力を受け付ける。次に、Ｓ６００において、ＣＰＵ２０１は、登録操作者リストを参照し、操作者が登録操作者か否かを確認する。ＣＰＵ２０１は、操作者が登録操作者である場合には（Ｓ６００でＹｅｓ）、処理をＳ８００へ進める。ＣＰＵ２０１は、操作者が登録操作者でない場合には（Ｓ６００でＮｏ）、処理をＳ６０５へ進める。Ｓ６０５において、ＣＰＵ２０１は、操作者に対し、第１の機能のうち一部の機能以外の機能の実行を禁止する。
Ｓ８００において、ＣＰＵ２０１はさらに、登録操作者リストを参照し、操作者の操作レベルが閾値以上か否かを判断する。ここで、閾値は、例えば情報処理装置１０１のＲＯＭ２０２等に予め設定されているものとする。ＣＰＵ２０１は、操作レベルが閾値以上である場合に（Ｓ８００でＹｅｓ）、処理をＳ４０１へ進める。ＣＰＵ２０１は、操作レベルが閾値未満である場合には（Ｓ８００でＮｏ）、処理をＳ８０１へ進める。
【００３５】
Ｓ４０１において、ＣＰＵ２０１は、撮影オーダリストを参照し、操作者を実行予定者とする撮影オーダの有無を確認する。ＣＰＵ２０１は、操作者を実行予定者とする撮影オーダが存在する場合には（Ｓ４０１でＹｅｓ）、処理をＳ４０２へ進める。ＣＰＵ２０１は、操作者を実行予定者とする撮影オーダが存在しない場合には（Ｓ４０１でＮｏ）、処理をＳ６０１へ進める。
Ｓ４０２において、ＣＰＵ２０１は、操作者に対し、撮影オーダに示される放射線照射の実行を許可する。ＣＰＵ２０１はまた、操作者に対し、撮影制御システムの放射線照射以外のすべての機能の実行を許可する。一方、Ｓ６０１において、ＣＰＵ２０１は、操作者に対し、放射線照射の実行を禁止しつつ、第１の機能の実行を許可する。
【００３６】
図９（ａ）は、第１の機能が許可された場合に、表示部１０２に表示される表示画面を示す図である。図９（ｂ）は、図９（ａ）に示す表示画面において、実行予定者が変更された後の表示画面を示す図である。Ｓ６０１において、第１の機能の実行が許可された場合には、図９（ａ）の表示画面が表示され、実行予定者の変更が可能となる。Ｓ４０２において、放射線照射以外の機能の実行が許可された場合にも、同様に図９（ａ）の表示画面が表示され、実行予定者の変更が可能となる。
【００３７】
図８に戻り、Ｓ８０１において、撮影モダリティ１０の情報処理装置１０１のＣＰＵ２０１は、撮影オーダリストを参照し、操作者を実行予定者とする撮影オーダの有無を確認する。なお、Ｓ８０１の処理は、Ｓ４０１の処理と同様である。ＣＰＵ２０１は、操作者を実行予定者とする撮影オーダが存在する場合には（Ｓ８０１でＹｅｓ）、処理をＳ８０２へ進める。ＣＰＵ２０１は、操作者を実行予定者とする撮影オーダが存在しない場合には（Ｓ８０１でＮｏ）、処理をＳ８０３へ進める。
Ｓ８０２において、ＣＰＵ２０１は、撮影オーダの実行予定者を操作レベルが閾値以上の登録操作者に変更する。すなわち、ＣＰＵ２０１は、撮影オーダリストを更新する。さらに、ＣＰＵ２０１は、撮影オーダの実行予定者の変更指示を、撮影オーダ管理装置１１に送信する。撮影オーダ管理装置１１は、変更指示を受信すると、変更指示に従い、撮影オーダリストを更新する。さらに、各撮影モダリティ１０は、撮影オーダ管理装置１１からの変更指示に従い、自装置が記憶している撮影オーダリストを更新する。
【００３８】
次に、Ｓ８０３において、ＣＰＵ２０１は、操作者に対し、第２の機能以外の実行を禁止する。ここで、第２の機能は、放射線照射と異なる機能である。また、第２の機能は、第１の機能の一部であるが、第２の機能は、Ｓ６０５における第１の機能の一部を含み、かつＳ６０５における一部の機能に比べて多くの機能を含む。すなわち、Ｓ８０３において操作者に対して許容される操作は、Ｓ６０５において許容される操作に比べて多い。第２の機能は、予め設定されているものとする。なお、第３の実施形態の撮影管理システムのこれ以外の構成及び処理は、他の実施形態にかかる撮影管理システムの構成及び処理と同様である。
以上のように、第３の実施形態にかかる撮影制御システムは、登録操作者か否かに加え、操作レベルに応じて、機能の実行の許否を判断するので、放射線撮影の実行者を適格者に制限しつつ、より柔軟に撮影を進めることができる。
【００３９】
第３の実施形態の第１の変更例としては、撮影オーダ管理装置１１は、登録操作者リストと別に、操作レベルリストを記憶してもよい。この場合、操作レベルリストは、登録操作者のＩＤと、操作レベルとを対応付けて記憶している。これに対応し、各撮影モダリティ１０も登録操作者リストと操作レベルリストとを記憶する。この場合、撮影モダリティ１０のＣＰＵ２０１は、操作者レベルリストを参照して、操作者の操作レベルを特定する。
【００４０】
第２の変更例としては、撮影オーダ管理装置１１は、撮影オーダの新規登録時に、登録操作者リストを参照し、閾値以上の操作レベルの登録操作者を、新規登録する撮影オーダの実行予定者に決定してもよい。これにより、撮影モダリティ１０は、登録操作者以外の実行予定者を登録操作者に変更する処理を省くことができる。これにより、撮影モダリティ１０の演算量、消費電力を削減することができる。
【００４１】
（第４の実施形態）
第４の実施形態にかかる撮影管理システムが管理する撮影オーダリストは、実行予定モダリティ情報をさらに含んでいる。ここで、実行予定モダリティ情報は、撮影モダリティを識別する識別情報である。
図１０は、実行予定モダリティ情報を含む撮影オーダリスト１０００を示す図である。撮影オーダリスト１０００においては、各撮影オーダに、実行予定モダリティ情報が含まれている。図１０に示す「＃１０Ａ」は、撮影モダリティ１０Ａの識別情報である。実行予定の撮影モダリティが予め定められている場合には、撮影オーダ管理装置１１は、図１０に示すように、撮影予定モダリティ情報を含む撮影オーダリスト１０００を管理することとする。
【００４２】
そして、撮影オーダ管理装置１１は、実行予定モダリティ情報を参照し、各撮影オーダを、各撮影オーダの実行予定の撮影モダリティのみに送信する。撮影オーダ管理装置１１は、例えば撮影モダリティ１０Ａに対しては、「＃１０Ａ」の実行予定モダリティ情報が記録されている撮影オーダのみを送信する。図１０に示す例においては、撮影オーダ管理装置１１は、１、２、６行目に示される３つの撮影オーダを撮影モダリティ１０Ａに送信する。
一方、撮影モダリティ１０の情報処理装置１０１のＣＰＵ２０１は、撮影制御処理のＳ４０１において、操作者を実行予定者とし、撮影モダリティ１０自身を実行予定の撮影モダリティとする撮影オーダの有無を確認する。
【００４３】
図１１（ａ）は、少なくとも第１の機能の実行が許可された場合に表示部１０２に表示される表示画面例を示す図である。表示画面には、操作者を実行予定者とする撮影オーダのみが表示されている。この表示画面において、操作者が撮影オーダ一覧中の処理欄にチェックを入力することにより、撮影オーダを選択したとする。この場合、表示画面には、図１１（ａ）に示すように、「実行」ボタンと、「他モダリティに振替」ボタンと、「他モダリティの撮影オーダを受信」ボタンとが表示される。
「実行」ボタンは、撮影オーダの実行を指示するためのボタンである。「他モダリティに振替」ボタンは、撮影オーダを実行する撮影モダリティの変更を指示するためのボタンである。「他モダリティの撮影オーダを受信」は、他の撮影モダリティの撮影オーダの受信を指示するためのボタンである。
【００４４】
図１１（ｂ）は、図１１（ａ）の表示画面において、操作者により「他モダリティに振替」ボタンが選択された場合に表示される表示画面を示す図である。図１１（ｂ）において、撮影オーダの実行予定モダリティ情報が変更され、変更の保存が指示されると、撮影モダリティ１０のＣＰＵ２０１は、変更指示を受け付け、変更指示に従い、撮影オーダの実行予定モダリティ情報を変更する。
この場合、撮影モダリティ１０のＣＰＵ２０１はさらに、変更指示を撮影オーダ管理装置１１に送信する。撮影オーダ管理装置１１は、変更指示に従い自装置の撮影オーダリストを更新し、更新にかかる撮影オーダを送信済みの撮影モダリティ１０に対し、変更指示を送信する。図１１（ｂ）に示す例においては、撮影オーダ管理装置１１は、撮影モダリティ１０Ｂに変更指示を送信する。
【００４５】
操作者は、操作中の撮影モダリティ以外の撮影モダリティに配信された撮影オーダを、操作中の撮影モダリティで実行するよう変更することも可能である。図１１（ｃ）は、図１１（ａ）の表示画面において、操作者により「他モダリティの撮影オーダを受信」ボタンが選択された場合に表示される表示画面を示す図である。操作者により「他モダリティの撮影オーダを受信」ボタンが選択されると、撮影モダリティ１０のＣＰＵ２０１は、すべての撮影オーダを撮影オーダ管理装置１１から受信し、図１１（ｃ）に示すような撮影オーダの一覧画面を表示する。
さらに、図１１（ｃ）の表示画面において、操作者の操作により、撮影オーダの実行予定モダリティ情報が変更されると、撮影モダリティ１０のＣＰＵ２０１は、撮影オーダの実行予定モダリティ情報を変更する。このように、撮影オーダの撮影モダリティを適切に変更することにより、撮影オーダを効率的に実行することができる。
なお、第４の実施形態にかかる撮影管理システムのこれ以外の構成及び処理は、他の実施形態にかかる撮影管理システムの構成及び処理と同様である。
【００４６】
（第５の実施形態）
第５の実施形態にかかる撮影管理システムは、第４の実施形態にかかる撮影管理システムと同様に、実行予定モダリティ情報を含む撮影オーダリストを管理する。また、本実施形態においては、撮影オーダ管理装置１１は、各撮影モダリティ１０からの撮影オーダ要求に対する応答として、撮影オーダ管理装置１１が記憶するすべての撮影オーダを送信する。すなわち、撮影オーダ管理装置１１は、すべての撮影モダリティ１０それぞれに対し、自装置が記憶しているすべての撮影オーダを送信する。
図１２（ａ）は、撮影オーダリストを受信し、少なくとも第１の機能の実行が許可された場合に、撮影モダリティ１０の表示部１０２に表示される表示画面例を示す図である。このように、表示画面には、実行予定の撮影モダリティ１０のＩＤを含む撮影オーダが表示される。
【００４７】
操作者が移動型撮影モダリティ１０Ｃの操作中に、唯一臥位架台型撮影モダリティ１０Ｂが指定された撮影オーダを、操作中の撮影モダリティ１０Ｃで実行することを希望するとする。この場合、操作者は、図１２（ａ）に示す表示画面において、変更したい撮影オーダを選択した上で「他モダリティに振替」ボタンを選択する。これに対応し、撮影管理システムは、操作者の操作に応じて、選択中の撮影オーダの撮影モダリティ１０のＩＤを「＃１０Ｂ」から「＃１０Ｃ」に変更する。
なお、図１２（ａ）に示す表示画面において、操作者が「他操作者に振替」ボタンを選択した場合には、撮影管理システムは、操作者の操作に応じて、選択中の撮影オーダの実行予定者を変更する。
【００４８】
また、操作者は、実行予定の撮影モダリティ１０が等しく、実行予定者が異なる撮影オーダを同一の操作者が実行予定者となるように変更することもできる。例えば、ＩＤ「Ａ００３」の操作者が、立位架台型撮影モダリティ１０Ａにおいて、自身を実行予定者とし、撮影モダリティ１０Ａで実行予定の撮影オーダをソートしたとする。この場合、撮影モダリティ１０Ａの表示部１０２には、図１２（ｂ）に示すように、撮影モダリティ１０Ａで実行予定の、ＩＤ「Ａ００３」の操作者を実行予定者とする撮影オーダが表示される。ＩＤ「Ａ００３」の操作者がこの画面において「他モダリティに振替」ボタンを選択すると、撮影管理システムは、操作者の操作に応じて、選択中の撮影オーダの撮影モダリティ１０のＩＤを「＃１０Ｂ」から「＃１０Ｃ」に変更する。
なお、第５の実施形態にかかる撮影管理システムのこれ以外の構成及び処理は、他の実施形態にかかる撮影管理システムの構成及び処理と同様である。
【００４９】
（第６の実施形態）
第６の実施形態にかかる撮影管理システムは、第４、第５の実施形態にかかる撮影管理システムと同様に、実行予定モダリティ情報を含む撮影オーダリストを管理する。また、本実施形態にかかる携帯端末１２は、ＧＰＳにより、自身の位置を検出する検出部を備え、位置情報を定期的に撮影オーダ管理装置１１に送信する。
そして、本実施形態においては、撮影オーダ管理装置１１は、撮影オーダの新規登録時に、携帯端末１２の位置情報に基づいて、撮影モダリティの実行予定者を決定する。具体的には、撮影オーダ管理装置１１は、操作者が携帯する携帯端末１２から受信する位置情報に基づいて、撮影モダリティと操作者との間の距離を算出する（距離算出処理）。そして、撮影オーダ管理装置１１は、撮影モダリティとの距離が最短となる操作者を、この撮影モダリティにおいて実行される撮影オーダの実行予定者に決定する（決定処理）。そして、撮影オーダ管理装置１１は、決定された実行予定者を含む撮影オーダを撮影オーダリストに登録する（登録処理）。
【００５０】
図１に示す位置関係において、撮影モダリティ１０Ｂを実行予定モダリティとする撮影オーダの実行予定者を決定する場合を例に説明する。この場合、撮影オーダ管理装置１１は、撮影モダリティ１０Ｂに最も近い操作者としてＩＤ「Ａ００３」の操作者を特定する。そして、撮影オーダ管理装置１１は、このＩＤ「Ａ００３」の操作者を、撮影オーダの実行予定者として決定する。
なお、登録された撮影オーダは、各撮影モダリティ１０Ａ〜１０Ｃに送信される。さらに、撮影オーダ管理装置１１は、実行予定者を決定した場合に、操作者の携帯端末１２に対し、この操作者が実行予定者として決定された撮影オーダを送信する。これにより、救急対応等、急を要する撮影オーダを、遅滞なく撮影を実行開始することができる。
第６の実施形態にかかる撮影管理システムのこれ以外の構成及び処理は、他の実施形態にかかる撮影管理システムの構成及び処理と同様である。
【００５１】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００５２】
以上、上述した各実施形態によれば、放射線撮影の実行者を適格者に制限しつつ、放射線撮影を効率的に実行することができる。
【００５３】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５４】
１０  撮影モダリティ、１１  撮影オーダ管理装置、１２  携帯端末、１０１  情報処理装置、１０２  表示部、１０３  放射線発生装置、１０４  放射線画像検出器、２０１  ＣＰＵ、２０２  ＲＯＭ、２０３  ＲＡＭ
【図１】
2015150060.tif 000003
【図２】
2015150060.tif 000004
【図３】
2015150060.tif 000005
【図４】
2015150060.tif 000006
【図５】
2015150060.tif 000007
【図６】
2015150060.tif 000008
【図７】
2015150060.tif 000009
【図８】
2015150060.tif 000010
【図９】
2015150060.tif 000011
【図１０】
2015150060.tif 000012
【図１１】
2015150060.tif 000013
【図１２】
2015150060.tif 000014